(57)【特許請求の範囲】
【請求項１】
第１電極層、第２電極層、並びに、前記第１及び第２電極層の間に配置された発光機能層、を有する発光素子と、
前記発光機能層で発せられた光を該発光機能層に向けて反射する反射層と、
前記発光機能層を挟んで前記反射層の反対側に配置され、前記発光機能層で発せられた光の一部を該発光機能層に向けて反射し、他の一部を透過させる半透明半反射層と、
前記半透明半反射層を中心として前記反射層が位置するのとは反対側に、かつ、当該半透明半反射層に接するように配置され、当該半透明半反射層の屈折率よりも高い屈折率をもつ第１層と、前記第１層よりも低い屈折率をもつ第２層と、前記第２層よりも高い屈折率をもつ第３層と、を含む反射増強層と、
を備え、
前記発光素子、前記反射層、前記半透明半反射層、及び前記反射増強層は、基板上に積層構造をなすように構築され、
前記第１電極層は、前記第２電極層からみて前記基板により近く、
前記半透明半反射層は、前記第２電極層を含んで、陰極として機能し、
前記第１層は前記半透明半反射層に接し、
前記第２層は前記第１層に接し、
前記第３層は前記第２層に接するとともに、２００ｎｍ以上の厚さを有し、水及び酸素の少なくとも一方の侵入を防止する封止機能を発揮させる、
ことを特徴とする発光装置。
【請求項２】
第１電極層、第２電極層、並びに、前記第１及び第２電極層の間に配置された発光機能層、を有する発光素子と、
前記発光機能層で発せられた光を該発光機能層に向けて反射する反射層と、
前記発光機能層を挟んで前記反射層の反対側に配置され、前記発光機能層で発せられた光の一部を該発光機能層に向けて反射し、他の一部を透過させる半透明半反射層と、
前記半透明半反射層を中心として前記反射層が位置するのとは反対側に、かつ、当該半透明半反射層に接するように配置され、当該半透明半反射層の屈折率よりも高い屈折率をもつ第１層と、前記第１層よりも低い屈折率をもつ第２層と、前記第２層よりも高い屈折率をもつ第３層と、を含む反射増強層と、
前記反射増強層を中心として前記半透明半反射層が位置するのとは反対側に、かつ、前記反射増強層との間に空間が存在するように配置された壁面と、
を備え、
前記発光素子、前記反射層、前記半透明半反射層、及び前記反射増強層は、基板上に積層構造をなすように構築され、
前記第１電極層は、前記第２電極層からみて前記基板により近く、
前記半透明半反射層は、前記第２電極層を含んで、陰極として機能し、
前記第１層は前記半透明半反射層に接し、
前記第２層は前記第１層に接し、
前記第３層は前記第２層に接するとともに前記空間に接し、
前記空間には不活性ガスが封入されている、
ことを特徴とする発光装置。
【請求項３】
前記第３層は、２００ｎｍ以上の厚さを有する、
ことを特徴とする請求項２に記載の発光装置。
【請求項４】
前記反射層から、前記半透明半反射層における前記反射層に対向する界面までの光学的距離が、式（ｉ）で算出されるｄに基づいて定められる
ことを特徴とする請求項１乃至３のいずれか一項に記載の発光装置。
ｄ＝（（２πｍ＋φＤ＋φＵ）／４π）・λ  …  （ｉ）
ここで、
λは共振対象として設定される波長であり、
φＤは、前記発光機能層側から前記反射層に進行する波長λの光が、当該反射層で反射するときの位相変化であり、
φＵは、前記発光機能層側から前記半透明半反射層に進行する波長λの光が、当該半透明半反射層で反射するときの位相変化であり、
ｍは、正の整数である。
【請求項５】
請求項１乃至４のいずれか一項に記載の発光装置を備える、
ことを特徴とする電子機器。
【発明の詳細な説明】
【技術分野】
【０００１】
本発明は、有機ＥＬ（electro luminescent）素子等を含む、発光装置及び電子機器に関する。
【背景技術】
【０００２】
薄型で軽量な発光源として、ＯＬＥＤ（organic light emitting diode）、つまり有機ＥＬ（electro luminescent）素子が注目を集めており、多数の有機ＥＬ素子を備える画像表示装置が開発されている。有機ＥＬ素子は、有機材料で形成された少なくとも一層の有機薄膜を画素電極と対向電極とで挟んだ構造を有する。
有機ＥＬ素子の分野において、増幅的干渉すなわち共振を利用して、発光した光のうち特定の波長の光を強める技術が知られている。この技術では、発光色の色純度を高めたり、発光に対する放出される光の効率を高めたりすることができる。
このような画像表示装置としては、例えば特許文献１及び２に開示されているようなものが知られている。
【先行技術文献】
【特許文献】
【０００３】
【特許文献１】特許第２７９７８８３号公報
【特許文献２】特開２００８−２１８０８１号公報
【発明の概要】
【発明が解決しようとする課題】
【０００４】
しかしながら、これら特許文献１及び２の技術においては、次のような問題がある。
すなわち、特許文献１の技術によれば、たしかに「微小光共振器」の作用によって特定波長の光を強めることが可能であるが（特許文献１の〔００１５〕〔００１８〕等）、この作用をより強める手段、即ち光共振器による共振作用をより効果的に利用する手段については、半透明反射層の反射率に係る工夫についての言及（特許文献１の〔００１６〕）を除き、特に言及するところがない。
また、特許文献２の技術でも、特許文献１と同様、光共振器の作用による特定波長の光を強める効果を享受可能であると考えられる（特許文献２の〔００２８〕等）。しかし、この技術では、有機化合物層に接して透明電極を成膜することが前提とされており、これによると、製造プロセス上、透明電極成膜時に有機化合物層へ何らかのダメージを与えるおそれが大きいという問題がある（特許文献２の〔請求項１〕、あるいは〔図１〕等も参照）。また、特許文献２にいう透明カソード電極１４と光路長調整層１５との界面における光反射量は限定的であると考えられ、前記特許文献１と同様、光共振器による共振作用をより効果的に利用できるとはいえない。
【０００５】
本発明は、上述した課題の少なくとも一部を解決することの可能な、発光装置及び電子機器を提供することを目的とする。
【課題を解決するための手段】
【０００６】
本発明の発光装置は、上述した課題を解決するため、第１電極層、第２電極層、並びに、前記第１及び第２電極層の間に配置された発光機能層、を有する発光素子と、前記発光機能層で発せられた光を該発光機能層に向けて反射する反射層と、前記発光機能層を挟んで前記反射層の反対側に配置され、前記発光機能層で発せられた光の一部を該発光機能層に向けて反射し、他の一部を透過させる半透明半反射層と、前記半透明半反射層を中心として前記反射層が位置するのとは反対側に、かつ、当該半透明半反射層に接するように配置され、当該半透明半反射層の屈折率よりも高い屈折率をもつ第１層と、前記第１層よりも低い屈折率をもつ第２層と、前記第２層よりも高い屈折率をもつ第３層と、を含む反射増強層と、を備え、前記発光素子、前記反射層、前記半透明半反射層、及び前記反射増強層は、基板上に積層構造をなすように構築され、前記第１電極層は、前記第２電極層からみて前記基板により近く、前記半透明半反射層は、前記第２電極層を含んで、陰極として機能し、前記第１層は前記半透明半反射層に接し、前記第２層は前記第１層に接し、前記第３層は前記第２層に接するとともに、２００ｎｍ以上の厚さを有し、水及び酸素の少なくとも一方の侵入を防止する封止機能を発揮させる。
【０００７】
本発明によれば、半透明半反射層に接して、反射増強層に含まれる第１層が存在しているとともに、第１層の屈折率が半透明半反射層のそれよりも高いため、これら両層間の界面においては比較的強い光の反射が生じ得る。したがって、本発明に係る構成では、発光機能層で発生した光のうち、半透明半反射層と反射層とによって構成される光共振器の中にいわば戻っていく光の絶対量は比較的多くなるから、当該光共振器の作用をより強めること、換言すれば、光共振器による共振作用をより効果的に利用することができる。
また、この発明によれば、半透明半反射層が、第２電極層の全部又は一部を含む、即ち換言すると、半透明半反射層と第２電極層の全部又は一部とが、いわば共用ないし兼用されるかのようになっているので、装置構造の効率化・単純化が図られ、また、製造容易性が向上する。
また、この発明によれば、前記各層を前記基板上に順次積層させていく製造方法をとれば、従来技術のように、発光機能層に接して透明電極を製造する必要がないので、製造プロセス上、当該発光機能層に何らかのダメージを与えるおそれがほとんどない。
また、この発明によれば、反射増強層が、３層からなる。そして、これら各層の間では屈折率に関して、高から低へ又は低から高への変化がある。したがって、本態様によれば、半透明半反射層及び第１層間の界面をはじめ、第１層及び第２層間の界面、第２層及び第３層間の界面、において、比較的強い光の反射が生じ得る。この結果、本態様によれば、上述した本発明に係る効果がより実効的に奏される。
なお、本発明の発光装置では、前記反射増強層は、前記第１層に加え、当該第１層の屈折率よりも低い屈折率をもつ第（２ｎ）層と（ただし、ｎは正の整数）、当該第（２ｎ）層の屈折率よりも高い屈折率をもつ第（２ｎ＋１）層と、を更に含み、前記第（２ｎ）層のうち第２層は前記第１層に接し、かつ、前記第（２ｎ）層は前記第（２ｎ＋１）層に接する、ように構成してもよい。
この態様によれば、反射増強層が、奇数個の層からなる。そして、これら各層の間では屈折率に関して、高から低へ又は低から高への変化がある。したがって、本態様によれば、半透明半反射層及び第１層間の界面をはじめ、第１層及び第２層間の界面、第（２ｎ）層及び第（２ｎ＋１）層間の界面、において、比較的強い光の反射が生じ得る。この結果、本態様によれば、上述した本発明に係る効果がより実効的に奏される。
なお、上述の規定から明らかなように、本態様においては、反射増強層が奇数個の層からなる限り、具体的に何層から構成されるかについては限定しない。もっとも、層数があまりに増大すれば、光透過性能が劣り、あるいは製造容易性が損なわれる等の各種弊害が生じるおそれがある。このような観点から、反射増強層に含まれるべき層数は、ありうべき反射増強作用が奏されることを前提として、前記弊害の発生を回避するように定められると好ましい。より具体的には、前記ｎが１、即ち反射増強層が全部で３層からなるように構成するのが最も好ましい一例であろうということはできる。
【０００８】
この発明の発光装置は、第１電極層、第２電極層、並びに、前記第１及び第２電極層の間に配置された発光機能層、を有する発光素子と、前記発光機能層で発せられた光を該発光機能層に向けて反射する反射層と、前記発光機能層を挟んで前記反射層の反対側に配置され、前記発光機能層で発せられた光の一部を該発光機能層に向けて反射し、他の一部を透過させる半透明半反射層と、前記半透明半反射層を中心として前記反射層が位置するのとは反対側に、かつ、当該半透明半反射層に接するように配置され、当該半透明半反射層の屈折率よりも高い屈折率をもつ第１層と、前記第１層よりも低い屈折率をもつ第２層と、前記第２層よりも高い屈折率をもつ第３層と、を含む反射増強層と、前記反射増強層を中心として前記半透明半反射層が位置するのとは反対側に、かつ、前記反射増強層との間に空間が存在するように配置された壁面と、を備え、前記発光素子、前記反射層、前記半透明半反射層、及び前記反射増強層は、基板上に積層構造をなすように構築され、前記第１電極層は、前記第２電極層からみて前記基板により近く、前記半透明半反射層は、前記第２電極層を含んで、陰極として機能し、前記第１層は前記半透明半反射層に接し、前記第２層は前記第１層に接し、前記第３層は前記第２層に接するとともに前記空間に接し、前記空間には不活性ガスが封入されている。
【０００９】
また、本発明の発光装置では、前記第３層は、２００ｎｍ以上の厚さを有する、ように構成してもよい。
【００１０】
また、本発明の発光装置では、前記反射層から、前記半透明半反射層における前記反射層に対向する界面までの光学的距離が、式（ｉ）で算出されるｄに基づいて定められる、ように構成してもよい。
ｄ＝（（２πｍ＋φＤ＋φＵ）／４π）・λ  …  （ｉ）
ここで、λは共振対象として設定される波長であり、φＤは、前記発光機能層側から前記反射層に進行する波長λの光が、当該反射層で反射するときの位相変化であり、φＵは、前記発光機能層側から前記半透明半反射層に進行する波長λの光が、当該半透明半反射層で反射するときの位相変化であり、ｍは、正の整数である。
この態様によれば、発光素子、反射層及び半透明半反射層からなる共振器構造において、共振現象を好適に生じさせることができる。
なお、本態様に言う「共振対象として設定される波長」（以下、「共振対象波長」ということがある。）には、例えば、本態様に係る発光装置において、前記発光素子が複数あって、これらにより赤・緑・青（ＲＧＢ）の３色表示をする場合を考えるなら、これら３色それぞれの波長が代入され得る。すなわち、これら３色の波長を、λｒ，λｇ及びλｂとするなら、λは、これらλｒ，λｇ又はλｂのいずれかをとり得るから、ｄは、これらそれぞれに応じて、例えばｄｒ，ｄｇ又はｄｂという具体値をとりうる（したがって、この場合、発光素子ごとに、“ｄ”の値が異なる場合もありうる。）。
また、本態様においては、先の述べたような３色表示等を実現するため、「前記半透明半反射層を挟んで前記発光機能層の反対側に配置され、前記半透明半反射層を透過した光を透過させるカラーフィルタ」を更に備えると好適であるが、この場合、前記共振対象波長λは、「前記カラーフィルタの透過率のピークに相当する波長」などと設定することが可能である。
【００１１】
また、本発明の電子機器は、上記課題を解決するために、上述した各種の発光装置を備える。
本発明の電子機器は、上述した各種の発光装置を備えてなるので、光共振器の作用の発揮をよりよく享受可能な、言い換えれば、色純度向上効果等がより実効的に享受可能な電子機器が提供される。
【図面の簡単な説明】
【００１２】
【図１】本発明の実施の形態に係る発光装置の概略を示す断面図である。
【図２】図１の発光装置における共振器構造内における光の軌跡を簡略的に示す模式図である。
【図３】図１の発光装置から発せられる光のスペクトルの実験結果を示す図である。
【図４】図１の発光装置による色純度向上効果及び規格化外部量子効率向上効果を具体的数値でもって表す図である。
【図５】色度図である。
【図６】図４中の色純度向上効果を、図５に示す色度図上で表現した図である。
【図７】反射増強層２３の作用を説明するための図である。
【図８】図７の比較例（反射増強層２３の不存在）である。
【図９】より厚い第２高屈折率層２３５をもつ反射増強層２３’の一例を示す図である。
【図１０】本発明の実施形態の変形例（その２）に係る発光装置の概略を示す断面図である。
【図１１】図１０の発光装置の全体を概観した場合の構成を示す断面図である。
【図１２】本発明に係る発光装置を適用した電子機器を示す斜視図である。
【図１３】本発明に係る発光装置を適用した他の電子機器を示す斜視図である。
【図１４】本発明に係る発光装置を適用したさらに他の電子機器を示す斜視図である。
【発明を実施するための形態】
【００１３】
以下では、本発明に係る実施の形態について図１及び図２を参照しながら説明する。なお、ここに言及した図１及び図２に加え、以下で参照する各図面においては、各部の寸法の比率が実際のものとは適宜に異ならせてある場合がある。
【００１４】
＜有機ＥＬ装置の断面構造＞
図１は、本発明の実施の形態に係る有機ＥＬ装置（発光装置）１の概略を示す断面図である。有機ＥＬ装置１は、発光パネル３とカラーフィルタパネル３０とを備える。
【００１５】
発光パネル３は、図示のように複数の発光素子（画素）２（２Ｒ，２Ｇ，２Ｂ）を有する。本実施形態の有機ＥＬ装置１は、フルカラーの画像表示装置として使用される。発光素子２Ｒは放出光の色が赤色である発光素子であり、発光素子２Ｇ及び２Ｂはそれぞれ放出光の色が緑色及び青色である発光素子である。
これら各発光素子２には、給電用のＴＦＴ（薄膜トランジスタ）及び配線等が接続されている。このＴＦＴ及び配線等は、基板１０上において、例えば、適当な層間絶縁膜間に構築される。
なお、図１では、図面の見易さ等を優先するため、前記ＴＦＴ及び配線等の図示はされていない（ちなみに、前記層間絶縁膜は、例えば、後述する反射層１２及び第１電極層１８間や反射層１２及び基板１０間、等々様々な場所に形成されうるが、これも不図示。）。また、図１では、３つの発光素子２しか示されていないが、実際には、図示よりも多数の発光素子が設けられている。以下、構成要素の添字のＲ，Ｇ，Ｂは、発光素子２Ｒ，２Ｇ，２Ｂに対応する。
【００１６】
図示の発光パネル３はトップエミッションタイプである。発光パネル３は、基板１０を有する。基板１０は、例えばガラスのような透明材料で形成してもよいし、例えばセラミック又は金属のような不透明材料で形成してもよい。
【００１７】
基板１０上の少なくとも発光素子２と重なる位置には、一様な厚さの反射層１２が形成されている。反射層１２は、例えばＡｌ（アルミニウム）、Ｃｒ（クロム）若しくはＡｇ（銀）、又はこれらを含む合金などの反射率の高い材料から形成されており、発光素子２から進行してくる光（発光素子２での発光を含む）を図１の上方に向けて反射する。
なお、この反射層１２には、上述のＡｌ、Ｃｒ、Ａｇのほか、例えば、Ｃｕ、Ｚｎ、Ｎｄ、Ｐｄなどが添加されてよい。これにより、耐熱性の向上等が見込まれる。
反射層１２の厚さは５０〜１５０ｎｍ程度とされて好適である。
【００１８】
基板１０上には、発光素子２を区分する隔壁（セパレータ）１６が形成されている。隔壁１６は、例えばアクリル、エポキシ又はポリイミドなどの絶縁性の樹脂材料で形成されている。
【００１９】
各発光素子２は、第１電極層１８、第２電極層２２、並びに、第１電極層１８及び第２電極層２２の間に配置された発光機能層２０を有する。
本実施形態では、第１電極層１８（１８Ｒ，１８Ｇ，１８Ｂ）は、画素（発光素子２）にそれぞれ設けられる画素電極であり、例えば陽極である。第１電極層１８は、例えばＩＴＯ（indium tin oxide）又はZnO2のような透明材料から形成されている。第１電極層１８の厚さは、発光色に応じて異なっている。つまり、第１電極層１８Ｒ，１８Ｇ、１８Ｂは、互いに異なる厚さを有する。なお、この点については、後の＜光反射及び透過モデル＞の項においてより詳細に説明する。
【００２０】
本実施形態では、発光機能層２０は、複数の発光素子２に共通に形成されており、発光素子２の発光色にかかわらず一様な厚さを有する。発光機能層２０は、少なくとも有機発光層を有する。この有機発光層は電流が流れると白色で発光する。つまり赤色、緑色及び青色の光成分を有する光を発する。有機発光層は、単層でもよいし、複数の層（例えば電流が流れると主に青色で発光する青色発光層と、電流が流れると赤色と緑色を含む光を発する黄色発光層）で構成されていてもよい。
発光機能層２０は、有機発光層のほかに、正孔輸送層、正孔注入層、電子ブロック層、正孔ブロック層、電子輸送層、電子注入層などの層を有していてもよい。このうち正孔注入層は、例えばＨＩ−４０６（出光興産株式会社製）若しくはＣｕＰｃ（銅フタロシアニン）等、正孔輸送層はα−ＮＰＤ(Ｎ，Ｎ’−ジ（１−ナフチル）−Ｎ，Ｎ’−ジフェニル−１，１’−ビフェニル−４，４’−ジアミン)等、電子輸送層はアルミニウムキノリノール錯体（Ａｌｑ３）等、電子注入層はＬｉＦ等、からそれぞれ作られる。
【００２１】
第２電極層（半透明半反射層）２２は、例えばＭｇＡｌ、ＭｇＣｕ、ＭｇＡｕ、ＭｇＡｇのような合金又は金属材料から形成されている。第２電極層２２は本実施形態では、複数の画素（発光素子）に共通に設けられる共通電極であり、例えば陰極である。
第２電極層２２は、発光素子２の発光色にかかわらず一様な厚さを有する。より具体的には例えば、第２電極層２２は、５〜２０〔ｎｍ〕程度の厚さとされて好適である。厚さが比較的小さいため、第２電極層２２は、半透明半反射性をもつ。
このような第２電極層２２は、発光機能層２０から進行してきた光（発光機能層２０からの光を含む）の一部を図の上方に透過し、これらの光の他の一部を図の下方つまり第１電極層１８に向けて反射する。
【００２２】
複数の隔壁１６間に形成された開口（画素開口）の内部において、発光機能層２０は、第１電極層１８と接触しており、ある発光素子２において、第１電極層１８と第２電極層２２との間に電流が流されると、その発光素子２における発光機能層２０には第１電極層１８から正孔が供給され、第２電極層２２から電子が供給される。そして、これら正孔及び電子が再結合して励起子が生成され、この励起子が基底状態に遷移するときに、エネルギ放出、即ち発光現象が生じる。従って、隔壁１６間に形成された画素開口で発光素子２の発光領域がおおよそ画定される。つまり隔壁１６の画素開口は発光素子２を区分する。
【００２３】
発光機能層２０は白色発光するが、反射層１２と第２電極層２２との間で光が往復することにより、個々の発光素子２は特定の波長の光が増幅された光を放出する。つまり、発光素子２Ｒでは赤色の波長の光が増幅されて放出され、発光素子２Ｇでは緑色の波長の光が増幅されて放出され、発光素子２Ｂでは青色の波長の光が増幅されて放出される。この目的のため、発光素子２Ｒ，２Ｇ，２Ｂでは、反射層１２と第２電極層２２との間の光学的距離ｄ（ｄR、ｄG、ｄB）が異なっている。なお、図中のｄ（ｄR、ｄG、ｄB）は、光学的距離を示しており、実際の距離を示しているのではない。この点については、後の＜光反射及び透過モデル＞の項においてより詳細に説明する。
【００２４】
前記の第２電極層２２の図１中上方には、反射増強層２３が形成されている。
この反射増強層２３は、図示するように、第１高屈折率層２３１、低屈折率層２３２、及び第２高屈折率層２３３を含む。これら各層（２３１，２３２及び２３３）は、図中下方より、この順番で積層される。これら各層（２３１，２３２及び２３３）のネーミングに含まれる「高」「低」の意義は、以下のようである。すなわち、第１高屈折率層２３１は、第２電極層２２に対して、相対的により高い屈折率をもつ。低屈折率層２３２は、第１高屈折率層２３１に対して、相対的により低い屈折率をもつ。第２高屈折率層２３３は、低屈折率層２３２に対して、相対的により高い屈折率をもつ。要するに、図中、より上方に位置する層の屈折率の高低は、その直下に位置する層の屈折率に対する相対的関係において定められているとみることが可能である。
より具体的に、第１高屈折率層２３１は、例えばＡｌｑ３、ＳｉＮ、ＳｉＯＮ等から作られうる。これらの材料は、波長５５５〔ｎｍ〕における屈折率が１．６以上である。第２高屈折率層２３３についても同様である。
また、低屈折率層２３２は、例えばＬｉＦ、ＬｉＯ２等から作られうる。これらの材料は、波長５５５〔ｎｍ〕における屈折率は１．５以下である。
これら各層（２３１，２３２及び２３３）の厚さは、具体的には例えば、５０〜９０〔ｎｍ〕程度とされて好適である。
【００２５】
発光パネル３には、透明な接着剤２８によってカラーフィルタパネル３０が接合されている。カラーフィルタパネル３０は、例えばガラスのような透明材料で形成された基板３２と、基板３２に形成されたブラックマトリクス３４と、ブラックマトリクス３４に形成された開口に配置されたカラーフィルタ３６（３６Ｒ，３６Ｇ，３６Ｂ）を備える。
接着剤２８は、カラーフィルタパネル３０における基板３２及びカラーフィルタ３６と、発光パネル３の各層とがほぼ平行関係を維持するように両者を支持する。
【００２６】
カラーフィルタ３６はそれぞれ、発光素子２、特に第１電極層１８に重なる位置に配置されている。カラーフィルタ３６は、半透明半反射性の第２電極層２２を挟んで発光機能層２０の反対側に配置され、重なった発光素子２の第２電極層２２を透過した光を透過させる。
カラーフィルタ３６Ｒは発光素子２Ｒに重なっており、一つのカラーフィルタ３６Ｒと一つの発光素子２Ｒとで一つのセットを構成する。カラーフィルタ３６Ｒは赤色の光を透過させる機能を有し、その透過率のピークは６１０ｎｍの波長にある。カラーフィルタ３６Ｒは、重なった発光素子２Ｒの第２電極層２２を透過した赤色が増幅された光のうち、赤色の光を透過させ、赤色の純度を高める。また、カラーフィルタ３６Ｒは、緑色及び青色の光の多くを吸収する。
残るカラーフィルタ３６Ｇ及び３６Ｂはそれぞれ、緑色光及び青色光を透過させるという相違はあるものの、基本的に、前述のカラーフィルタ３６Ｒと同様である。なお、両者それぞれの透過率のピークは５５０ｎｍ及び４７０ｎｍの波長にある。
【００２７】
＜光反射及び透過モデル＞
図２は、発光機能層２０を発した光の軌跡を簡略的に示す模式図である。発光機能層２０を発した光のうちの一部は、図中左方に示すように、第１電極層１８の側に向かって進行し、反射層１２の発光機能層２０の側の面で反射する。この反射のときの位相変化をφＤとする。他方、前記光の他の部分は、図中右方に示すように、第２電極層２２の側に向かって進行し、当該第２電極層２２の発光機能層２０の側の面（第２電極層２２における反射層１２に対向する界面）で反射する。この反射のときの位相変化をφＵとする。
これらの場合のうち後者の場合、即ち光が第２電極層２２で反射する場合、図２に示すように、当該光は、その反射の後、発光機能層２０及び第１電極層１８を透過して、反射層１２の発光機能層２０の側の面で再び反射する。以下、光の反射は、第２電極層２２及び反射層１２において、原理的には、無限に繰り返される。前者の場合、即ち光が反射層１２で反射する場合についても、図示はしないが、同様である。
なお、図２において各界面での光の屈折による光路変化の図示は省略して、光路は単純な直線ないし曲線で示している。
【００２８】
このような反射現象が生じることを前提に、本実施形態では、図２（あるいは図１）に示す光学的距離ｄが、以下の式（１）によって定められている。
ｄ＝（（２πｍ＋φＤ＋φＵ）／４π）・λ  …  （１）
ここで、λは、共振対象として設定された波長〔ｎｍ〕であり、ｍは任意の整数である。なお、φＤ及びφＵの意義は前述したとおりである。
【００２９】
本実施形態では、前記のλ、ないしｄは、図１に示すところからも明らかなように、発光素子２Ｒ，２Ｇ及び２Ｂの別に応じて定められる。より具体的には、これら発光素子２Ｒ，２Ｇ及び２Ｂは、上述のように、カラーフィルタ３６Ｒ，３６Ｇ及び３６Ｂのそれぞれと一つのセットを構成するので、波長λとしては、これらカラーフィルタ３６Ｒ，３６Ｇ及び３６Ｂの透過率のピークに相当する波長のそれぞれ（即ち、上述の通りλＲ＝６１０ｎｍ，λＧ＝５５０ｎｍ及びλＢ＝４７０ｎｍ）が設定（ないし代入）されえ、光学的距離ｄとしては、これらλＲ，λＧ及びλＢそれぞれに対応した、ｄＲ，ｄＧ及びｄＢ（図１参照）が求められることになる。なお、このｄＲ，ｄＧ及びｄＢの求根の際、式（１）中のφＤ及びφＵとしては、λＲ，λＧ及びλＢそれぞれに対応した値（φＤ＝φＤＲ，φＤＧ，φＤＢ、あるいは、φＵ＝φＵＲ，φＵＧ，φＵＢ）が使用される。
【００３０】
そして、上記式（１）によって求められたｄＲ，ｄＧ及びｄＢを実際の装置上で実現するため、本実施形態では、図１に示すように、第１電極層１８（１８Ｒ，１８Ｇ及び１８Ｂ）の厚さが、各発光素子２（２Ｒ，２Ｇ及び２Ｂ）について調整されている。
一般に、ある物質についての「光学的距離」は、当該物質の物理的厚さとその屈折率の積として表現されるから、第１電極層１８の物理的厚さをｔ、その屈折率をｎ１８とすれば、当該第１電極層１８及び前記発光機能層２０全体の光学的距離Ｄは、
Ｄ＝ｔ・ｎ１８＋Ｄ２０  …  （２）
である。ただし、Ｄ２０は、発光機能層２０についての光学的距離である。
この式（２）中、屈折率ｎ１８は基本的に動かせないので、Ｄ＝ｄＲ，Ｄ＝ｄＧ及びＤ＝ｄＢのいずれかを成立させるためには、ｔを変動させる必要がある。このようにして、Ｄ＝ｄＲのときのｔＲ、Ｄ＝ｄＧのときのｔＧ及びＤ＝ｄＢのときのｔＢ、がそれぞれ見つけられることになり、これらに基づき、第１電極層１８の厚さが調整される。なお、このｔＲ，ｔＧ及びｔＢの求根の際、式（２）中のｎ１８としては、λＲ，λＧ及びλＢそれぞれに対応した値（ｎ１８＝ｎ１８Ｒ，ｎ１８Ｇ，ｎ１８Ｂ）が使用される。
このように、本実施形態においては、第１電極層１８の厚さの調整を通じて、光共振器に係る光学的距離の調整を行っているが、本発明が、このような形態に限定されるわけではない。例えば、第１電極層１８の厚さの調整に代えて又は加えて、発光機能層２０の厚さの調整、あるいは当該層２０を構成する前記正孔注入層等の各層の厚さの調整を通じて、光共振器に係る光学的距離の調整が行われてもよい。
【００３１】
以上のようにして、本実施形態においては、発光機能層２０、反射層１２及び第２電極層２２によって、光共振器が構成される。すなわち、発光機能層２０を発した光は、反射層１２及び第２電極層２２間で反射を繰り返すことによって、ある特定の波長成分をもつ光だけが増幅的干渉を受け、ないしは、共振現象にかかわることになる。
例えば、発光素子２Ｒにおいては、その光学的距離ｄＲが、前記式（１）により規定されることから、当該発光素子２Ｒでは、その波長λＲを持つ光についての共振現象が生じる。そして、このように増幅された波長λＲの光（即ち、赤色光）の一部は、第２電極層２２が半透過性能をもつため、装置外部へと進行する（図中、第２電極層２２を超えて上向きに延びる矢印参照。）。以上の結果、赤色が強調されることになる。
このようなことは、緑色・青色についても同様に生じる。
【００３２】
＜有機ＥＬ装置の作用効果＞
以下では、以上のような構成を備える有機ＥＬ装置１の作用効果について、既に参照した図１及び図２に加えて、図３乃至図８を参照しながら説明する。
まず、図３及び図４は、上に説明した構造をもつ有機ＥＬ装置１を実際に製造し、当該装置１において観測された光強度の観測結果等の各種実験結果を示すものである。なお、この実験においては、以下の各前提が置かれている。
（ｉ）  実際に実験に供したのは、青色対応の発光素子２Ｂだけをもつ有機ＥＬ装置である。つまり、図１等において示される赤色及び緑色のそれぞれに対応する各種要素（例えば、第１電極層１８Ｒ及び１８Ｇ）は製造しておらず、実験に供していない。
（ｉｉ）  反射層１２は、ＡＰＣから作られ、その厚さは１００〔ｎｍ〕である。なお、ＡＰＣは、Ａｇ、Ｐｄ及びＣｕからなる合金（Ｐｄが０．９重量％、Ｃｕが１重量％、残部がＡｇ）である。
（ｉｉｉ）  第１電極層１８は、ＩＴＯから作られる。厚さは、青色対応の第１電極層１８Ｂで３０〔ｎｍ〕である。なお、前記（ｉ）から、第１電極層１８も青色対応の第１電極層１８Ｂしか存在しない。
（ｉｖ）  発光機能層２０全体の厚さは、１８１〔ｎｍ〕である。この中には、正孔注入層の厚さ１００〔ｎｍ〕、正孔輸送層の厚さ２０〔ｎｍ〕、発光層の厚さ２０〔ｎｍ〕、電子輸送層の厚さ４０〔ｎｍ〕、及び電子注入層の厚さ１〔ｎｍ〕が含まれる。なお、前記（ｉ）のように、青色対応の実験結果だけが示されるので、ここでいう発光層は、ホスト材料ＢＨ−２１５（出光興産株式会社製）に青色ドーパント材料ＢＤ−１０２（出光興産株式会社製）をドープしたものである。
（ｖ）  第２電極層２２は、ＭｇＡｇから作られる。厚さは１０〔ｎｍ〕である。
（ｖｉ）  反射増強層２３全体の厚さは、２１５〔ｎｍ〕である。この中には、第１高屈折率層２３１の厚さ７０〔ｎｍ〕、低屈折率層の厚さ７５〔ｎｍ〕、第２高屈折率層の厚さ７０〔ｎｍ〕が含まれる。また、第１及び第２高屈折率層２３１及び２３３はＡｌｑ３から作られ、低屈折率層２３２はＬｉＦから作られる。
【００３３】
このような前提の下、青色対応の発光素子２Ｂから装置外部に出射する光のスペクトルを実測した結果が、図３である。この図３において、実線は、上述の前提をそのまま反映した結果であり、破線は、その比較例である。ここで比較例とは、本実施形態にかかる反射増強層２３が存在しない（前述の（ｖｉ）参照）場合の発光素子について、同様の実験を行った結果である。なお、以下では、図３中の実線を青色曲線Ｂｐ、破線を青色・比較例曲線Ｂｐ’と呼ぶことにする。
【００３４】
まず、この図３においては、いずれの曲線（Ｂｐ，Ｂｐ’）においても、一定程度の色純度向上効果が達成されていることがわかる。これは、既に述べたように、本実施形態に係る有機ＥＬ装置１では、反射層１２、第１電極層１８、発光機能層２０、及び第２電極層２２からなる共振器が構成されており、かつ、当該共振器について前述した式（１）が満たされていることによる。
【００３５】
そして、この図３によれば、青色・比較例曲線Ｂｐ’から青色曲線Ｂｐへの変化をみるとわかるように、ピークの鋭さが増している。つまり、半値幅が減少している。また、図４に示すように、規格化外部量子効率も、本実験例の方が、比較例に比べて増加している。
さらに、同じく図４に示すように、本実験例の「青」と比較例の「青」とでは、色度図上の座標値が相違する。
図５は、いわゆるｘｙ色度図である。この図において、概ね砲弾型の形で囲われた領域は、人間の認識可能な色の範囲（色域）を表している。その領域の中心付近から周辺に行くほど彩度が大きくなる。また、その領域の周囲を巡る数値は色相を表している。他方、当該領域内において、三角形で囲われた領域は、ＲＧＢ表色系で表現可能な色域を表している。このうち、符号Ｃｔが付された点は、ホワイト・ポイントである。また、図中記された「赤」、「緑」等々の文字は、そのそれぞれが位置する場所の色を視認者が認識した場合に感じるであろう、概ねの色名を表している。例えば、ｘ＝０．２、ｙ＝０．１あたりの色を視認者が認識する場合、その者は、それを「青」と判断する蓋然性が高い、ということである。このような図５では、前記砲弾型の形の内部、あるいは前記三角形の内部において、いわば純粋なかたちで（言い換えると、明度の影響のない状態で）、色度ないしは色味が表現されている。
本実験例では、実験例の「青」は、比較例のそれに対して、ｘ座標に係る値は増加する一方、ｙ座標に係る値は減少している（図４参照）。図６は、図５中の「青」の付近を拡大した図である。図６中の矢印に示すように、本実験例では、青の色純度が改善されていることがわかる。
【００３６】
以上のような各種の変化は、本実験例と比較例との上述した相違点、即ち反射増強層２３の存否にかかわる。
上述のように、本実施形態に係る有機ＥＬ装置１では、前記式（１）の成立を背景とする共振器が構成されるが、この共振器の機能を好適に引き出すためには、共振現象に関わる、いわば光の絶対量の増加があるとよい。この点、本実施形態においては、図７に示すように、まず、発光機能層２０を発した光は、当該発光機能層２０と合金等から作られる第２電極層２２との界面で強く反射するのに加えて、第２電極層２２と第１高屈折率層２３１との界面、第１高屈折率層２３１と低屈折率層２３２との界面、及び、低屈折率層２３２と第２高屈折率層２３３との界面、のそれぞれで強く反射する。つまり、共振器内へ戻される光の量は増大する。これは、これら各界面間において、屈折率が高い層から低い層へ、又はその逆、の変化が生じるからである。図３、図４及び図６の結果は、このような原因に基づいている。
これに対して、反射増強層２３が存在しない場合には、図８に示すように、発光機能層２０と第２電極層２２との界面における強い反射はあるものの、第２電極層２２上に、これと比べて相対的に高い屈折率をもつ層が存在しないから、反射が生じたとしても、それはかなり弱いものになる（図中破線矢印参照）。つまり、共振器内へ戻される光の量は、本実施形態に比べれば少ない。
このようにして、本実施形態によれば、図３、図４及び図６に示されるような各種効果が奏される。
【００３７】
なお、上記実験例では、前記（ｉ）〜（ｖｉ）（特に（ｉ））という前提を置き、青色光を発する発光素子２Ｂのみをもつ有機ＥＬ装置について述べているが、本発明は、当然、かかる前提に縛られない。図１に示すように、青色光のほか、赤色及び緑色に対応する発光素子２Ｒ及び２Ｂをもつ有機ＥＬ装置でも、上記と同様の作用効果が得られる。また、本実施形態に係る反射増強層２３、ないしはこれを構成する各層（２３１，２３２及び２３３）（特に、その厚さ）は、そのように各色対応の発光素子２Ｒ，２Ｇ及び２Ｂを製造する場合であっても、それら各色に関しすべて共通にすることが可能である。  
【００３８】
以上、本発明に係る実施の形態について説明したが、本発明に係る発光装置は、上述した形態に限定されることはなく、各種の変形が可能である。
（１）  上述した実施形態では、第１及び第２高屈折率層２３１及び２３３、並びに低屈折率層２３２の好適な厚さが５０〜９０〔ｎｍ〕である旨述べているが、本発明は、必ずしもかかる好適値に限定されない。
この好適値は、主に、当該有機ＥＬ装置１の製造の容易さ・製造時間の短縮化、更には透過光の強さあるいは透過特性等への配慮から定められている。しかし、好ましい透過特性を享受するための厚さは、このような好適値以外にもある。実際、そのような好ましい厚さは、前記好適値を中心に、周期的に存在することがわかっている（ごく単純にいえば、例えば、７０〔ｎｍ〕を中心として、２００〔ｎｍ〕，３３０〔ｎｍ〕，４６０〔ｎｍ〕，…といった、各種の好ましい厚さがあるということである。もっとも、実際上は、このような正確な周期性（いまの例では１３０〔ｎｍ〕間隔）をもつとは限らない。）。したがって、前記各層（２３１，２３２，２３３）の厚さは、このような事情に配慮が払われた上で定められてよい。
この場合特に、第２高屈折率層２３３の厚さが大きくなればなるほど、当該第２高屈折率層２３３の封止機能、即ち発光素子２への水及び酸素の少なくとも一方の進入を防止する封止機能、は高まっていく。つまり、この場合の第２高屈折率層２３３は、上記実施形態として説明したような反射増強の機能を持つとともに、封止機能をも持つことになる。図９においては、図７に比べて、より厚くなった第２高屈折率層２３５を含む反射増強層２３’が図示されている。封止機能をよりよく発揮させるためには、このような第２高屈折率層２３５の厚さは、２００〔ｎｍ〕以上あると好ましい。封止機能が発揮されれば、発光素子２への水・酸素の進入が防止されるから、当該発光素子２の素子寿命が長期化するというメリットが生じる。
このように、本発明においては、第１及び第２高屈折率層２３１及び２３３、並びに低屈折率層２３２の厚さが、前記好適値に限定されないというだけでなく、その厚さを適当に調整することによって当該各層（２３１，２３２及び２３３）に反射増強機能以外の機能を担わせてもよい。これによれば、各種の機能を担う別々の層を別々に造りこむよりも、製造容易性は増し、コスト低減も可能になる。
【００３９】
（２）  上述した実施形態では、発光機能層２０が白色発光する場合について説明しているが、本発明は、かかる形態に限定されない。
例えば、上記実施形態の第１電極層１８Ｒ，１８Ｇ及び１８Ｂがカラーフィルタ３６Ｒ，３６Ｇ及び３６Ｂに対応するように形成されていたのと同様に、発光機能層が、発光素子２Ｒ，２Ｇ，２Ｂにそれぞれ専用の発光機能層を備えてよい。この場合、これら発光機能層の各々は、赤色で発光するもの、緑色で発光するもの、青色で発光するものに区別される。このような各色発光のためには、各発光機能層に含ませる有機ＥＬ物質を適宜変更すればよい。また、かかる構造を現実に製造するには、例えば、インクジェット法（液滴吐出法）等が用いられうる。
【００４０】
（３）  この（２）に関連して、上述した実施形態では、接着剤２８を介して発光パネル３に対向するカラーフィルタパネル３０が備えられているが、発光機能層が白色発光だけする場合、あるいは各色発光する場合の別に関わらず、本発明においては、このカラーフィルタパネル３０を設けることは必須ではない。
このような場合に更に関連して、以下に述べるような構成を採用すれば、かかる構成においても、第２高屈折率層２３３を抜け出ていく光は、その抜け出る際の界面で強い反射を経験し得る。
すなわち例えば、図１０及び図１１に示すように、有機ＥＬ装置１’全体が、ガラス（あるいは、樹脂材料、金属）等の適当な材料から作られた壁面Ｃによって囲われた空間内に封止される場合においては、当該空間内に封入される不活性ガスＧが、上述の実施形態における低屈折率層２３２に相当する役割を担う構成を採用してもよい。すなわち、この形態では、第２高屈折率層２３３より図中下側に位置する各層の構成は、上記実施形態と同様であるが、図１０に示すように、第２高屈折率層２３３より上部の各層は存在せず、第２高屈折率層２３３の図中上面には、壁面Ｃ内部の不活性ガスＧが接するようになっている。不活性ガスＧとしては、具体的には例えば、Ｎ２ガス、アルゴンガス、等々が該当する。この場合、不活性ガスＧの屈折率は、第２高屈折率層２３３の屈折率よりも小さい。
このような、図１０及び図１１の形態によっても、上述の実施形態によって奏された作用効果と本質的に異ならない作用効果が奏されることは明白である。すなわち、この形態では、反射層１２の側から入射してくる光は、不活性ガスＧ及び第２高屈折率層２３３間の界面において、反射させられる可能性が高まり、それにより、共振現象にかかわる光の増大が期待できる。
【００４１】
＜応用＞
次に、本発明に係る発光装置を適用した電子機器について説明する。
図１２は、上記実施形態に係る発光装置を画像表示装置に利用したモバイル型のパーソナルコンピュータの構成を示す斜視図である。パーソナルコンピュータ２０００は、表示装置としての有機ＥＬ装置１と本体部２０１０とを備える。本体部２０１０には、電源スイッチ２００１およびキーボード２００２が設けられている。
図１３に、上記実施形態に係る発光装置を適用した携帯電話機を示す。携帯電話機３０００は、複数の操作ボタン３００１およびスクロールボタン３００２、ならびに表示装置としての有機ＥＬ装置１を備える。スクロールボタン３００２を操作することによって、有機ＥＬ装置１に表示される画面がスクロールされる。
図１４に、上記実施形態に係る発光装置を適用した情報携帯端末（ＰＤＡ：Personal  Digital  Assistant）を示す。情報携帯端末４０００は、複数の操作ボタン４００１および電源スイッチ４００２、ならびに表示装置としての有機ＥＬ装置１を備える。電源スイッチ４００２を操作すると、住所録やスケジュール帳といった各種の情報が有機ＥＬ装置１に表示される。
【００４２】
本発明に係る発光装置が適用される電子機器としては、図１２から図１４に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００４３】
１，１’……有機ＥＬ装置（発光装置）、２（２Ｒ，２Ｇ，２Ｂ）……発光素子、３……発光パネル、１０……基板、１２……反射層、１８（１８Ｒ，１８Ｇ、１８Ｂ）……第１電極層、２０……発光機能層、２２……第２電極層（半透明半反射層）、２３……反射増強層、２３１……第１高屈折率層、２３２……低屈折率層、２３３……第２高屈折率層、Ｇ……不活性ガス、３０……カラーフィルタパネル、３６（３６Ｒ．３６Ｇ，３６Ｂ）……カラーフィルタ
【図１】
0005418144.tif 000002
【図２】
0005418144.tif 000003
【図３】
0005418144.tif 000004
【図４】
0005418144.tif 000005
【図５】
0005418144.tif 000006
【図６】
0005418144.tif 000007
【図７】
0005418144.tif 000008
【図８】
0005418144.tif 000009
【図９】
0005418144.tif 000010
【図１０】
0005418144.tif 000011
【図１１】
0005418144.tif 000012
【図１２】
0005418144.tif 000013
【図１３】
0005418144.tif 000014
【図１４】
0005418144.tif 000015